(57)【特許請求の範囲】
【請求項１】
防水素材を用いて周囲を溶着してクッション材を内蔵した座布団において、気体を内包したクッション材を収納する中央気室とこれに通気孔で連通する側部気室を設けて密閉し、前記座布団の不使用時は、側部気室は気体が抜かれて前記防水素材の表裏が重ねられ、前記クッション材に外部から負荷を掛けると圧縮により発生した気体を前記中央気室から前記側部気室へ流動させることを特徴とする座布団。
【請求項２】
前記座布団は防水仕様であることを特徴とする請求項１記載の座布団。
【発明の詳細な説明】
【０００１】
【発明の属する技術分野】
この発明は、座って行う釣りに用いる座布団に関する。
【０００２】
【従来技術】
従来、船釣、波止釣、筏釣、へら釣等の座って行う釣には、座布団やクッションが使用され、座布団やクッションはポリ塩化ビニ−ル（ＰＶＣ）等の防水素材を溶着加工した従来例図７、図８の袋５の中にポリウレタンやポリエチレン、エチレン酢酸ビニ−ル（ＥＶＡ）の発泡体等のクッション材３を入れた従来例図７、図８の座布団や、従来例図９の袋の中に空気が吹き込まれて使用されるクッション６がある。
更に釣用座布団やクッションはどの釣においても餌や海水等により汚れてしまうため、丸洗いしたいという要望があった。
【０００３】
前記図７の座布団の構成は、袋５にクッション材３を入れる口部があり、口部はチャック式ファスナやベルベット式面ファスナ等の係止具７が用いられて閉じられているので、防水性に欠けている。
前記図８の座布団の構成は、クッション材３が入れられた袋５の周囲を溶着している。
【０００４】
従って、前記図７の座布団は、口部から水が内部に浸水するので、雨の日は使用できず、丸洗いすると中に水が浸入するので、クッション材３を抜き取った場合でも乾燥に時間がかかった。
前記図８の座布団は、袋５の周囲を溶着して完全に密閉されているので、丸洗いは容易であるが、釣人が座ってクッション材３に内包された気体が圧縮されると、気体の逃げ場がないので、溶着部が裂けてパンクしてしまう欠点がある。
前記図９のクッション６は、浮袋のように空気で膨らませるタイプで、防水性はあるが、内部のクッション材が空気のみで構成されているから、座り心地が悪く、頻繁に座り直していると、その度の圧縮で空気が少しずつ抜けてくる欠点がある。
又、ピンホ−ル等の孔が空くとクッション性は全くなくなってしまう。
更に携帯性は良いが、使用する前に必ず膨らませる必要があるので、面倒であるといった問題を抱えていた。
【０００５】
【発明が解決しようとする課題】
解決しようとする問題点は、防水性に欠けた座布団は、雨の日は使用できず、周囲を溶着して完全に密閉された座布団は、中の空気が圧縮されると気体の逃げ場がないので、溶着部が裂けてパンクしてしまい、内部のクッション材が空気のみで構成されたクッションは、座り心地が悪く、使用する前に必ず膨らませる必要があり、頻繁に座り直していると、その度の圧縮で空気が少しずつ抜けてきてしまう等の欠点があることである。
【０００６】
本発明の目的は前記欠点に鑑み、防水仕様で、完全密閉状態であっても溶着部が裂けてパンクすることがなく、丸洗いが可能で、座り心地が良い座布団を提供することである。
【０００７】
【問題を解決するための手段】
上記課題を解決するために、請求項１に係る発明は、防水素材を用いて周囲を溶着してクッション材を内蔵した座布団において、気体を内包したクッション材を収納する中央気室とこれに通気孔で連通する側部気室を設けて密閉し、前記座布団の不使用時は、側部気室は気体が抜かれて前記防水素材の表裏が重ねられ、前記クッション材に外部から負荷を掛けると圧縮により発生した気体を前記中央気室から前記側部気室へ流動させることを要旨とするものである。
請求項２に係る発明は、前記座布団は防水仕様であることを要旨とするものである。
【０００８】
【発明の実施の形態】
本発明の請求項１により、クッション材３に内包される気体を圧縮時には側部気室２、２に逃がし、復元時はクッション材３に戻す構成になっているため、頻繁に座り直しても内部の気体が抜けたり
、パンクすることがない。
構成が簡単であるため、製造コストを抑えられる。
【０００９】
本発明の請求項２により、防水仕様なので雨の日でも使用可能である。
汚れても丸洗いが可能である。
【００１１】
【実施例】
以下、図示の実施例によって本発明を説明すると、図１から図４は第１実施例で、図１は座布団の平面図、図２は座布団の断面側面図、図３は座布団の斜視図、図４は座布団に釣人が尻を載せた背面斜視図である。
【００１２】
座布団はポリ塩化ビニ−ル（ＰＶＣ）等の防水素材を用いて中央気室１の両側に側部気室２、２を配して周囲が溶着加工で溶着されて夫々袋状に形成されると共に通気孔1aで連通されるほかは密閉されている。
中央気室１の縁を溶着部1bとし、側部気室２、２の縁を溶着部2aとする。
中央気室１内にポリウレタンやポリエチレン、エチレン酢酸ビニ−ル（ＥＶＡ）の発泡体等のクッション材３が位置ズレしないように収納されている。
中央気室１と両側の側部気室２、２の間を連通する通気孔1aは適宜の大きさで適宜の数形成されている。
クッション材３には自然の気圧状態の気体が内包され、気体の量は座布団の大きさ及び空孔容積等によって決められる。
【００１３】
側部気室２、２の容積はクッション材３に内包される気体の量が収容出来る容積またはそれより幾分小さい容積に設定されると共に、溶着部2aが裂けてパンクすることがないように設定されている。
前記通気孔1aの大きさ及び数は、クッション材３に内包される気体の量と中央気室１から側部気室２、２に流動させる気体のスピ−ドを決めて設計選定される。
【００１４】
前記のように構成された座布団は、不使用時は中央気室１の中のクッション材３は自然の気圧状態での気体の内包で盛り上がった状態にあり、側部気室２、２は気体が抜かれて防水素材の表裏が重ねられたペチャンコ状態にある。
前記座布団に釣人が座ると、中央気室１の中のクッション材３に外部から負荷を掛けることになって圧縮されるので、クッション材３に内包された気体は押し出されて側部気室２、２へ通気孔1aを通して流動される。
この時側部気室２、２の容積はクッション材３に内包される気体の量が収容出来る容積またはそれより幾分小さい容積に設定されているので、溶着部2aが裂けてパンクすることがない。
【００１５】
釣人が座布団から離れるとクッション材３の圧縮が解除され、クッション材３が膨張して側部気室２、２の中の気体を通気孔1aを通して吸い込むので、側部気室２、２は収縮する。
座布団は中央気室１と側部気室２、２の間を通気孔1aで連通するように密閉形成された防水仕様なので、丸洗いができて、座布団の中に水が浸入することがなく、雨の日でも使用可能である。
【００１６】
前記のように座布団が構成されると、クッション材３に内包される気体を圧縮時には側部気室２、２に逃がし、復元時はクッション材３に戻す構成になっているため、頻繁に座り直しても内部の気体が抜けたり、パンクすることがない。
防水仕様なので雨の日でも使用可能である。
汚れても丸洗いが可能である。
構成が簡単であるため、製造コストを抑えられる。
【００１７】
図５は第２実施例で、図５は座布団の斜視図である。
【００１８】
第２実施例の座布団では、中央気室とクッション材が２分割されている。
中央気室１′の中にクッション材３′が収納され、中央気室１″の中にクッション材３″が収納されている。
中央気室１′の一側と中央気室１″の他側に夫々側部気室２、２が防水素材を用いて形成されて周囲が溶着加工で溶着されて夫々袋状に形成されると共に密閉されている。
中央気室１′と中央気室１″の間は防水素材が溶着されている。
中央気室１′と中央気室１″の間を通気孔で連通してもよい。
他の構成は前記第１実施例と略同一である。
【００１９】
図６は第３実施例で、図６は座布団の平面図である。
【００２０】
第３実施例の座布団では、一つの中央気室１の周囲に夫々側部気室２′、２′、２′、２′が形成され、夫々中央気室１と側部気室２′、２′、２′、２′の間に通気孔1aが連通されている。
側部気室は３個としてもよい。
他の構成は前記第１実施例と略同一である。
【００２１】
図７、図８は第４実施例で、図７は椅子に載せられた座布団の斜視図、図８は座布団に釣人が尻を載せた斜視図である。
【００２４】
【発明の効果】
本発明は、以上説明したような形態で実施され、以下に記載されるような効果を奏する。
【００２５】
請求項１により、クッション材に内包される気体を圧縮時には側部気室に逃がし、復元時はクッション材に戻す構成になっているため、頻繁に座り直しても内部の気体が抜けたり、パンクすることがない。
構成が簡単であるため、製造コストを抑えられる。
【００２６】
請求項２により、防水仕様なので雨の日でも使用可能である。
汚れても丸洗いが可能である。
【図面の簡単な説明】
【図１】第１実施例で、座布団の平面図である。
【図２】同座布団の断面側面図である。
【図３】同座布団の斜視図である。
【図４】同座布団に釣人が尻を載せた背面斜視図である。
【図５】第２実施例で、座布団の斜視図である。
【図６】第３実施例で、座布団の平面図である。
【図７】従来例の座布団の斜視図である。
【図８】従来例の他の座布団の斜視図である。
【図９】従来例のクッションの斜視図である。
【符号の説明】
１、１’、１”    中央気室
２、２’、２”    側部気室
３、３’、３”    クッション材
【図１】
0003713395.tif 000002
【図２】
0003713395.tif 000003
【図３】
0003713395.tif 000004
【図４】
0003713395.tif 000005
【図５】
0003713395.tif 000006
【図６】
0003713395.tif 000007
【図７】
0003713395.tif 000008
【図８】
0003713395.tif 000009
【図９】
0003713395.tif 000010